(57)【要約】【課題】部品点数と組付工数及び金型費を削減してコストダウンを図ることができる車両用灯具を提供すること。【解決手段】基板２，３に実装されたＬＥＤ４と、該ＬＥＤ４から出射する光を反射させるリフレクタ５は複数のリフレクタを備える車両用灯具１において、前記リフレクタ５を一体に形成してその中央部に凹部５Ａを形成し、２枚の前記基板２，３を上下面に固定するブラケット６を前記リフレクタ５の凹部５Ａに嵌め込んで固定する。例えば、前記リフレクタ５の上下方向中央部に前記凹部５Ａを形成し、下面に一方の前記基板３がネジ固定された前記ブラケット６を、その上面に他方の前記基板２を載置して前記リフレクタ５の凹部５Ａに嵌め込み、該ブラケット６を他方の前記基板２との共締めによって前記リフレクタ５にネジ固定する。【選択図】図１
2016170866.tif 000002
【特許請求の範囲】
【請求項１】
基板に実装されたＬＥＤと、該ＬＥＤから出射する光を反射させるリフレクタを備える車両用灯具において、
前記リフレクタの複数を一体に形成してその中央部に凹部を形成し、２枚の前記基板を両面に固定するブラケットを前記リフレクタの凹部に嵌め込んで固定したことを特徴とする車両用灯具。
【請求項２】
前記リフレクタの上下方向中央部に前記凹部を形成し、下面に一方の前記基板がネジ固定された前記ブラケットを、その上面に他方の前記基板を載置して前記リフレクタの凹部に嵌め込み、該ブラケットを他方の前記基板との共締めによって前記リフレクタにネジ固定したことを特徴とする請求項１記載の車両用灯具。
【請求項３】
２枚の前記基板を位置決め手段によって前記ブラケットに対して位置決めした状態で、各基板を１本のネジによって前記ブラケットに固定したことを特徴とする請求項１又は２記載の車両用灯具。
【発明の詳細な説明】
【技術分野】
【０００１】
本発明は、基板に実装されたＬＥＤから出射する光をリフレクタによって所望の方向に反射させるリフレクタ型の車両用灯具に関するものである。
【背景技術】
【０００２】
ヘッドランプ等の車両用灯具には、発光効率が高くて長寿命、且つ、省電力である等の利点を有するＬＥＤ（発光ダイオード）を光源として使用するものが増えつつある。斯かる車両用灯具には、基板に実装されたＬＥＤから出射する光をリフレクタによって所望の方向に反射させるリフレクタ型のものがあり、このようなリフレクタ型の車両用灯具においては、基板は、その左右がプレート状の小片を介してハウジングに固定されている。この場合、基板は、その左右が例えば上下２個のボルトとナットによって小片に固定されている（例えば、特許文献１参照）。
【０００３】
又、リフレクタ型の車両用灯具には、リフレクタを２分割し、２分割された各リフレクタに基板をそれぞれネジ固定するとともに、リフレクタ同士を複数のネジによって固定する構成を採用するものもある。
【先行技術文献】
【特許文献】
【０００４】
【特許文献１】特開２０１２−０１５０６８号公報
【発明の概要】
【発明が解決しようとする課題】
【０００５】
しかしながら、基板の左右を各２個のボルトとナットによって小片に固定する構成を採用する車両用灯具においては、基板の枚数が増えると、これに伴って締結具であるボルトとナットの個数が増え、組付工数も増えるという問題がある。
【０００６】
又、リフレクタを２分割し、各リフレクタに基板をそれぞれネジ固定するとともに、リフレクタ同士をネジ固定する構成を採用する車両用灯具においても、ネジ等の締結具やリフレクタ等の部品とそれらの組付工数が増える他、分割された２つのリフレクタを成形するための金型費が高くなるという問題がある。
【０００７】
本発明は上記問題に鑑みてなされたもので、その目的とする処は、部品点数と組付工数及び金型費を削減してコストダウンを図ることができる車両用灯具を提供することにある。
【課題を解決するための手段】
【０００８】
上記目的を達成するため、請求項１記載の発明は、基板に実装されたＬＥＤと、該ＬＥＤから出射する光を反射させるリフレクタを備える車両用灯具において、前記リフレクタの複数を一体に形成してその中央部に凹部を形成し、２枚の前記基板を両面に固定するブラケットを前記リフレクタの凹部に嵌め込んで固定したことを特徴とする。
【０００９】
請求項２記載の発明は、請求項１記載の発明において、前記リフレクタの上下方向中央部に前記凹部を形成し、下面に一方の前記基板がネジ固定された前記ブラケットを、その上面に他方の前記基板を載置して前記リフレクタの凹部に嵌め込み、該ブラケットを他方の前記基板との共締めによって前記リフレクタにネジ固定したことを特徴とする。
【００１０】
請求項３記載の発明は、請求項１又は２記載の発明において、２枚の前記基板を位置決め手段によって前記ブラケットに対して位置決めした状態で、各基板を１本のネジによって前記ブラケットに固定したことを特徴とする。
【発明の効果】
【００１１】
本発明によれば、２枚の基板の一方を予めネジ固定したブラケットに他方の基板を載せ、該ブラケットをリフレクタの凹部に嵌め込んだ後、ネジによる共締めによってブラケットと他方の基板をリフレクタに固定することによって、締結具であるネジの本数を最小限に抑えて部品点数と組付工数を削減し、当該車両用灯具のコストダウンを図ることができる。特に、２枚の基板を位置決め手段によってブラケットに対して位置決めすることによって、各基板を１本のネジによってブラケットに固定することができ、ネジの本数を２本に抑えて部品点数と組付工数を削減することができる。
【００１２】
又、リフレクタの複数を一体に構成したため、該リフレクタの成形のための金型費を低く抑えることができるとともに、部品点数と組付工数を削減して当該車両用灯具のコストダウンを図ることができる。
【図面の簡単な説明】
【００１３】
【図１】本発明に係る車両用灯具の分解斜視図である。
【図２】本発明に係る車両用灯具の正面図である。
【図３】本発明に係る車両用灯具の右側面図である。
【図４】本発明に係る車両用灯具の平面図である。
【図５】図２のＡ−Ａ線断面図である。
【発明を実施するための形態】
【００１４】
以下に本発明の実施の形態を添付図面に基づいて説明する。
【００１５】
図１は本発明に係る車両用灯具の分解斜視図、図２は同車両用灯具の正面図、図３は同車両用灯具の右側面図、図４は同車両用灯具の平面図、図５は図２のＡ−Ａ線断面図である。尚、本実施の形態に係る車両用灯具１は、車両の前部左右に配置されるヘッドランプとして使用されるものであって、左右のヘッドランプの基本構成は同じであるため、以下、一方の車両用灯具１についてのみ図示及び説明する。
【００１６】
上述のようにヘッドランプとして使用される本実施の形態に係る車両用灯具１は、図１に示すように、上下２枚の基板２，３と、各基板２，３にそれぞれ実装された左右２つのＬＥＤ４（図２参照）と、各ＬＥＤ４から上下に出射する光を車両前方（図３の左方）に反射させるリフレクタ５を備えている。
【００１７】
図１に示すように、上側の前記基板２の後端部の左右方向中央には、円孔状のネジ挿通孔２ａが形成され、このネジ挿通孔２ａの左右には同じく円孔状の位置決め孔２ｂが形成されている。そして、この基板２の上面には、図２に示す左右２つのＬＥＤ４がその光出射方向が上向きとなるように実装されている。
【００１８】
又、下側の前記基板３の後端部の左右方向中央には矩形の切欠き３ａが形成され、この切欠き３ａの左右両側には円孔状の位置決め孔３ｂが形成されており、切欠き３ａの前方には円孔状のネジ挿通孔３ｃが形成されている。そして、この基板３の下面には、図２に示す左右２つのＬＥＤ４がその光出射方向が下向きとなるように実装されている。
【００１９】
前記リフレクタ５は、樹脂によってパラボラ状に複数を一体成形されており、その前面は円形に開口しており、その背面部の上下方向中央には、後面が開口する矩形溝状の凹部５Ａが横方向に貫設されている。そして、このリフレクタ５の凹部５Ａを挟む上下の内面には、放物面状の反射面５ａ，５ｂがそれぞれ形成されており（図２参照）、これらの反射面５ａ，５ｂには、反射率を高めるためのアルミ蒸着等の反射処理が施されている。
【００２０】
又、リフレクタ５に形成された凹部５Ａの上下面の左右２箇所には、図１及び図２に示すように、光が通過するための横方向に長い略矩形の開口部５ｃ（図１には一方のみ図示）がそれぞれ形成されており、上下の各開口部５ｃには、上下の基板２，３の左右に実装されて前記ＬＥＤ４がそれぞれ臨んでいる。又、図１、図３及び図５に示すように、リフレクタ５の背面の凹部５Ａの下縁に沿う左右方向中央には、円柱状のボス５Ｂが一体に形成されており、このボス５Ａにはネジ孔５ｄ（図５参照）が上下方向に形成されている。
【００２１】
ところで、本実施の形態では、リフレクタ５の凹部５Ａには、樹脂にて楔ブロック状に一体成形されたブラケット６が嵌め込まれて固定されるが、このブラケット６によって上下２枚の基板２，３が以下に説明する要領でリフレクタ５に取り付けられる。尚、図１及び図５に示すように、ブラケット６の上面の幅方向中央には円柱状のボス６Ａが垂直に立設されており、このボズ６Ａにはネジ孔６ａ（図５参照）が形成されている。又、図１に示すように、ブラケット６の上下面の左右には、位置決めピン６ｂ（図１には一方のみ図示）がそれぞれ一体に立設されている。ここで、上下の基板２，３にそれぞれ形成された位置決め孔２ｂ，３ｂと、ブラケット６の上下面にそれぞれ形成された位置決めピン６ｂは、基板２，３をブラケット６に対して位置決めするための位置決め手段を構成している。
【００２２】
即ち、ブラケット６がリフレクタ５の凹部５Ａに嵌め込まれる前の状態で、該ブラケット６の下面には、下側の基板３が位置決めされて１本のネジ７によって予め固定される。より詳細には、下側の基板３は、これに形成された左右２つの位置決め孔３ｂに、ブラケット６の下面に突設された左右２本の左右の位置決めピン６ｂが挿入嵌合することによってブラケット６に対して正確に位置決めされた状態で、ブラケット６の下面に押し当てられる。このように下側の基板３がブラケット６の下面に正確に位置決めされて押し当てられると、該基板３に形成されたネジ挿通孔３ｃがブラケット６に形成されたボス６Ａｎｏネジ孔６ａ（図５参照）に一致し、この状態で基板３のネジ挿通孔３ｃに下方から挿通するネジ７をボス６Ａのネジ孔６ａにねじ込めば、下側の基板３がブラケット６の下面に固定される(図５参照)。
【００２３】
次に、上述のようにして下面に下側の基板３が固定されたブラケット６の上面に上側の基板２を位置決めした状態で載置する。即ち、上側の基板２に形成された左右２つのの位置決め孔２ｂにブラケット６の位置決めピン６ｂを挿入嵌合させると、上側の基板３が正確に位置決めされた状態でブラケット６の上面に載置される。
【００２４】
而して、下面に基板３が固定されるとともに、上面に基板２が載置されたブラケット６は、リフレクタ５の凹部５Ａに後方から嵌め込まれる。このようにブラケット６がリフレクタ５の凹部５Ａに嵌め込まれると、上側の基板２のネジ挿通孔２ａがリフレクタ５に形成されたボス５Ｂのネジ孔５ｄ（図５参照）に合致するため、上側の基板２のネジ孔２ａに上方から挿通するネジ８をボス５Ｂのネジ孔５ｄにねじ込めば、図５に示すように、上側の基板３が共締めによってブラケット６と共にリフレクタ５に固定される。
【００２５】
上述のように予め下面に基板３が固定されたブラケット６を、その上面に基板２が載置された状態でリフレクタ５の凹部５Ａに嵌め込んで１本のネジ８によって基板２と共にリフレクタ５に固定することによって、上下２枚の基板２，３がブラケット６を介してリフレクタ５に固定される。このように上下２枚の基板２，３がブラケット６を介してリフレクタ５に固定されると、上側の基板２に実装された左右２つのＬＥＤ４は、リフレクタ５の凹部５Ａの上面に開口する左右２つの開口部５ｃをそれぞれ介してリフレクタ５の内部に臨み、下側の基板３に実装された左右２つのＬＥＤ４は、リフレクタ５の凹部５Ａの下面に開口する左右２つの開口部５ｃを介してリフレクタ５の内部に臨む（図２参照）。
【００２６】
以上のように構成された車両用灯具１において、上下２枚の基板２，３にそれぞれ実装された計４つのＬＥＤ４にバッテリ等の不図示の光源から電流が供給されると、これらのＬＥＤ４が発光する。すると、上側の基板２の上面に実装された左右２つのＬＥＤ４から上方に向かって出射する光と、下側の基板３の下面に実装された左右２つのＬＥＤ４から下方に向かって出射する光は、リフレクタ５の上下の反射面５ａ，５ｂ（図２参照）によってそれぞれ反射して車両前方（図２の手前）へと照射される。
【００２７】
以上において、本実施の形態に係る車両用灯具１においては、下側の基板３が予め１本のネジ７によって固定されたブラケット６の上面に上側の基板２を載せ、該ブラケット６をリフレクタ５の凹部５Ａに嵌め込んだ後、１本のネジ８による共締めによってブラケット６と上側の基板２をリフレクタ５に固定するようにしたため、基板２，３とブラケット６のリフレクタ５への固定を２本のネジ７，８のみで行うことができる。このため、部品点数と組付工数を削減し、当該車両用灯具１のコストダウンを図ることができる。即ち、上下２枚の基板２，３を位置決め手段（各基板２，３の位置決め孔２ｂ，３ｂとブラケット６の位置決めピン６ｂ）によってブラケット６に対して位置決めすることによって、各基板２，３を各１本のネジ７，８によってブラケット６に固定することができる。このため、部品点数と組付工数を削減し、当該車両用灯具１のコストダウンを図ることができる。
【００２８】
又、本実施の形態に係る車両用灯具１においては、リフレクタ５は複数のリフレクタを一体に構成したため、該リフレクタ５の成形のための金型費を低く抑えることができるとともに、部品点数と組付工数を削減して当該車両用灯具１のコストダウンを図ることができる。
【００２９】
尚、以上は本発明をヘッドランプとして使用される車両用灯具に対して適用した形態について説明したが、本発明は、ヘッドランプ以外の用途に使用されるリフレクタ型の車両用灯具に対しても同様に適用可能であることは勿論である。
【符号の説明】
【００３０】
１          車両用灯具
２，３      基板
２ａ，３ｃ  基板のネジ挿通孔
２ｂ，３ｂ  基板の位置決め孔
４          ＬＥＤ
５          リフレクタ
５Ａ        リフレクタの凹部
５Ｂ        リフレクタのボス
５ａ，５ｂ  リフレクタの反射面
５ｃ        リフレクタの開口部
５ｄ        ボスのネジ孔
６          ブラケット
６Ａ        ブラケットのボス
６ａ        ボスのネジ孔
６ｂ        ブラケットの位置決めピン
７，８      ネジ
【図１】
2016170866.tif 000003
【図２】
2016170866.tif 000004
【図３】
2016170866.tif 000005
【図４】
2016170866.tif 000006
【図５】
2016170866.tif 000007